(57)【要約】【課題】簡単な構成で、発光層が動作していないときに発光層に生じた電荷を消滅させる。【解決手段】発光装置１０は、発光部１６、陽極端子１０２、陰極端子１０４、及び短絡部１２０を備えている。発光部１６は、陽極及び陰極を備えている。陽極端子１０２は陽極に接続しており、陰極端子１０４は陰極に接続している。そして、短絡部１２０は、陽極端子１０２と陰極端子１０４とを短絡している。陽極端子１０２及び陰極端子１０４は、例えば、発光部１６に電力を供給するための端子である。【選択図】図１
2015002023.tif 000002
【特許請求の範囲】
【請求項１】
陽極及び陰極を有する発光部と、
前記陽極に接続している陽極端子と、
前記陰極に接続している陰極端子と、
前記陽極端子と前記陰極端子を短絡する短絡部と、
を備える発光装置。
【請求項２】
請求項１に記載の発光装置において、
前記短絡部は、前記陽極端子及び前記陰極端子に対して取り外し可能である発光装置。
【請求項３】
請求項１又は２に記載の発光装置において、
制御回路を介して前記陽極に電気的に接続している第２の陽極端子と、
前記制御回路を介して前記陰極に電気的に接続している第２の陰極端子と、
を備える発光装置。
【請求項４】
請求項３に記載の発光装置において、
前記陽極端子、前記第２の陽極端子、前記陰極端子、及び前記第２の陰極端子は並んで配置されており、
前記第２の陽極端子は前記陽極端子よりも面積が大きく、前記第２の陰極端子は前記陰極端子よりも面積が大きい発光装置。
【請求項５】
請求項３又は４に記載の発光装置において、
前記第２の陽極端子及び前記第２の陰極端子を収容する凹部を備え、
前記短絡部は、前記陽極端子及び前記陰極端子を短絡するとともに、前記凹部を塞いでいる発光装置。
【請求項６】
請求項１〜５のいずれか一項に記載の発光装置において、
前記短絡部はシート状の絶縁部材と、前記絶縁部材の一面に設けられた導電部材とを備える発光装置。
【発明の詳細な説明】
【技術分野】
【０００１】
本発明は、発光装置に関する。
【背景技術】
【０００２】
近年、新たな光源として有機ＥＬ（Organic Electroluminescence）素子及びＬＥＤ（Light Emitting Diode）素子の開発が進んでいる。これらの素子は、例えば照明装置やディスプレイなどに使用されている。これらの発光層は光電変換機能を有しているため、この発光層に光が入射すると、発光層に電荷が生じる。この電荷は、発光層の劣化の原因になりうる。
【０００３】
これに対して特許文献１には、自発光素子の２つの電極を、スイッチを介して接地させることが記載されている。このスイッチは、制御手段によって制御されている。制御手段は、自発光素子が動作していないときに、上記した２つの電極を接地させる。
【先行技術文献】
【特許文献】
【０００４】
【特許文献１】特開２００６−１０７９２０号公報
【発明の概要】
【発明が解決しようとする課題】
【０００５】
特許文献１に記載の技術では、自発光素子の制御回路に、上記したスイッチを組み込む必要がある。本発明者は、簡単な構成で、発光層が動作していないときに発光層に生じた電荷を消滅させる方法を検討した。
【０００６】
本発明が解決しようとする課題としては、簡単な構成で、発光層が動作していないときに発光層に生じた電荷を消滅させることが一例として挙げられる。
【課題を解決するための手段】
【０００７】
請求項１に記載の発明は、陽極及び陰極を有する発光部と、
前記陽極に接続している陽極端子と、
前記陰極に接続している陰極端子と、
前記陽極端子と前記陰極端子を短絡する短絡部と、
を備える発光装置である。
【図面の簡単な説明】
【０００８】
【図１】実施形態に係る発光装置の構成を示す図である。
【図２】発光部の構成を示す図である。
【図３】発光装置から短絡部を取り外した状態を示す図である。
【図４】（ａ）は実施例１に係る発光装置を第２面側から見た斜視図であり、（ｂ）は発光装置を第１面側から見た斜視図である
【図５】短絡部を除去した状態の発光装置を第２面側から見た斜視図である。
【図６】図４（ａ）のＡ−Ａ断面図である。
【図７】実施例２に係る発光装置の斜視図である。
【図８】実施例２における凹部の断面図である。
【図９】実施例３に係る発光装置を第２面側から見た斜視図である。
【図１０】実施例３に係る発光装置の回路図である。
【図１１】実施例３に係る凹部の底部の構造を示す斜視図である。
【図１２】図９の変形例を示す斜視図である。
【図１３】実施例４に係る発光装置の要部の構成を示す断面図である。
【図１４】実施例４に係る発光装置の使用方法を示す断面図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
図１は、実施形態に係る発光装置１０の構成を示す図である。実施形態に係る発光装置１０は、発光部１６、陽極端子１０２、陰極端子１０４、及び短絡部１２０を備えている。発光部１６は、陽極３０２（図２に図示）及び陰極３０６（図２に図示）を備えている。陽極端子１０２は陽極３０２に接続しており、陰極端子１０４は陰極３０６に接続している。そして、短絡部１２０は、陽極端子１０２と陰極端子１０４とを短絡している。陽極端子１０２及び陰極端子１０４は、例えば、発光部１６に電力を供給するための端子である。
【００１１】
発光部１６は、発光層を有している。この発光層は、有機層であっても良いし、無機層であってもよい。前者の場合、発光部１６は、例えば有機ＥＬ素子であり、後者の場合、発光部１６は、例えばＬＥＤ又は無機ＥＬである。
【００１２】
本図に示す例において、発光装置１０は、面発光型の発光装置である。発光部１６は、発光装置１０の第１面１２に設けられており、陽極端子１０２及び陰極端子１０４は、発光装置１０の第２面１４に設けられている。第２面１４は、第１面１２とは逆側の面である。
【００１３】
短絡部１２０は、導電性の材料によって形成された部材を有しており、この部材が陽極端子１０２を陰極端子１０４に短絡している。短絡部１２０は、第２面１４に設けられている。短絡部１２０は、陽極端子１０２の全面及び陰極端子１０４の全面に接触していても良いし、これらの端子の一部分にのみ接触していても良い。
【００１４】
短絡部１２０は、例えば陽極端子１０２及び陰極端子１０４に対して取り外し可能に設けられている。短絡部１２０は、例えば粘着層を用いて第２面１４に取り付けられている。ただし、短絡部１２０は、ネジ止めや係り止めなど、機械的な構造によって第２面１４に取り付けられていても良い。
【００１５】
図２は、発光部１６の構成を示す図である。発光部１６は、陽極３０２と陰極３０６の間に発光層３０４を挟んだ構成を有している。発光部１６が有機ＥＬ素子である場合、発光層３０４は、例えば、正孔輸送層、発光層、及び電子輸送層を積層したものである。正孔輸送層は陽極３０２に接しており、電子輸送層は陰極３０６に接している。なお、陽極３０２と正孔輸送層との間には正孔注入層が形成されても良いし、陰極３０６と電子輸送層との間には電子注入層が形成されてもよい。また、上記した各層の全てが必要ということではない。
【００１６】
陽極３０２は陽極端子１０２に電気的に接続しており、陰極３０６は陰極端子１０４に電気的に接続している。このため、短絡部１２０が陽極端子１０２及び陰極端子１０４に接触すると、陽極３０２と陰極３０６は、短絡部１２０を介して短絡する。
【００１７】
図３は、発光装置１０から短絡部１２０を取り外した状態を示す図である。短絡部１２０は、例えば発光装置１０を保管している間に発光部１６が劣化することを抑制するために用いられる。この場合、発光装置１０が使用される際、短絡部１２０は、第２面１４から取り外されて使用される。
【００１８】
なお、短絡部１２０は、発光装置１０が使用される際、途中で分断されても良い。この場合、陽極端子１０２及び陰極端子１０４を外部接続用の端子として機能させるために、短絡部１２０は、陽極端子１０２の一部及び陰極端子１０４の一部を覆っているのが好ましい。
【００１９】
以上、本実施形態によれば、陽極端子１０２及び陰極端子１０４は、発光装置１０が動作していない間は、短絡部１２０を介して短絡している。陽極端子１０２は発光部１６の陽極３０２に接続しており、陰極端子１０４は発光部１６の陰極３０６に接続している。従って、発光部１６に光が入射し、この光に起因して発光部１６に電荷が発生しても、この電荷は消滅する。従って、発光部１６が劣化することを抑制できる。また、短絡部１２０は陽極端子１０２及び陰極端子１０４を短絡するのみでよいため、短絡部１２０の構成は簡単になる。
【００２０】
また、短絡部１２０は、陽極端子１０２及び陰極端子１０４に対して取り外し可能になっている。従って、発光装置１０を使用するときに、発光装置１０の動作が阻害されることを防止できる。また、短絡部１２０を発光装置１０に合わせて設計すればよいため、設計済みの発光装置１０の構成を変更する必要はない。
【００２１】
また、短絡部１２０が陽極端子１０２及び陰極端子１０４の少なくとも一方の全面を覆っている場合、短絡部１２０を取り外さないと発光装置１０を使用することはできない。従って、発光装置１０を使用する際に、短絡部１２０を取り外し忘れることを防止できる。
【実施例】
【００２２】
（実施例１）
図４（ａ）は、実施例１に係る発光装置１０を第２面１４側から見た斜視図である。図４（ｂ）は、この発光装置１０を第１面１２側から見た斜視図である。図５は、短絡部１２０を除去した状態の発光装置１０を第２面１４側から見た斜視図である。本実施例に係る発光装置１０は、以下の点を除いて、実施形態に係る発光装置１０と同様の構成である。
【００２３】
まず、第２面１４には凹部１００が形成されている。陽極端子１０２及び陰極端子１０４は、凹部１００の底部に形成されている。このため、短絡部１２０も、凹部１００の底部の上に位置している。
【００２４】
また、本図に示す例において、凹部１００は発光装置１０の縁に位置しており、発光装置１０の側面に繋がっている。ただし、凹部１００の位置は、本図に示す例に限定されない。なお、発光装置１０の平面形状は、例えば長方形又は正方形であるが、他の多角形（例えば正六角形や正三角形）であっても良いし、楕円形や円形であっても良い。また、発光装置１０は面光源である必要はなく、電球、直管型の蛍光灯、又は円管型の蛍光灯と互換性のある形状であってもよい。
【００２５】
図６は、図４（ａ）のＡ−Ａ断面図である。上記したように、陽極端子１０２及び陰極端子１０４は、凹部１００の底部に位置している。そして短絡部１２０は、凹部１００の底部に設けられている。
【００２６】
また短絡部１２０は、シート状の絶縁部材１２４の一面に膜状の導電部材１２２を配置した構成を有している。詳細には、絶縁部材１２４は、例えば樹脂により形成されており、保護フィルムとして機能する。絶縁部材１２４は可撓性を有していても良いし、有していなくても良い。絶縁部材１２４の一面の縁には粘着層１２６が設けられている。粘着層１２６は、陽極端子１０２及び陰極端子１０４とは重なっていない。そして、この一面のうち粘着層１２６で囲まれた領域には、導電部材１２２が設けられている。導電部材１２２は、導電性の材料により形成されている。導電部材１２２は、例えばアルミ箔や銅箔などの金属箔である。導電部材１２２の厚さは、粘着層１２６の厚さと同程度である。なお、短絡部１２０の厚さは、凹部１００の深さよりも小さい。このため、凹部１００の底部に短絡部１２０が貼り付けられた場合、この短絡部１２０の上面は、凹部１００の中に位置する。
【００２７】
本実施例によっても、実施形態と同様の効果が得られる。また、凹部１００の底部に陽極端子１０２及び陰極端子１０４を配置したため、短絡部１２０を凹部１００の中に位置させることができる。従って、意図しないタイミングで短絡部１２０が第２面１４から外れることを抑制できる。
【００２８】
また、短絡部１２０は絶縁部材１２４を有している。絶縁部材１２４は、陽極端子１０２及び陰極端子１０４を覆っている。従って、発光装置１０を使用する前は、陽極端子１０２及び陰極端子１０４を絶縁部材１２４で保護することができる。また、短絡部１２０の有無によって、発光装置１０が未使用品であるか否かを判断できる。
【００２９】
（実施例２）
図７は、実施例２に係る発光装置１０の斜視図である。図８は、本実施例における凹部１００の断面図である。本実施例に係る発光装置１０は、以下の点を除いて実施例１に係る発光装置１０と同様の構成である。
【００３０】
まず、発光装置１０は、使用される前の状態において、保護シート１２１によって保護されている。具体的には、保護シート１２１は袋状であり、使用される前の発光装置１０を内側に収容している。保護シート１２１は、可撓性を有しており、かつ絶縁材料により形成されている。また、保護シート１２１は、遮光性を有しているのが好ましい。ここで遮光性とは、例えば可視光の５０％以上をカットすることである。
【００３１】
そして、保護シート１２１の内側の面のうち凹部１００に対向する部分には、短絡部１２０が設けられている。本実施例に係る短絡部１２０の構造は、絶縁部材１２４の代わりに保護シート１２１が用いられている点を除いて、実施例１に係る短絡部１２０と同様の構成である。
【００３２】
本実施例によっても、実施例１と同様の効果が得られる。また、短絡部１２０は保護シート１２１の内側の面を利用して設けられているため、保護シート１２１とは別に短絡部１２０を設ける必要がない。また、発光装置１０を保護シート１２１から取り出すときに、短絡部１２０を凹部１００の底面から取り外すことができる。従って、凹部１００の底面から短絡部１２０を取り外し忘れることを防止できる。
【００３３】
（実施例３）
図９は、実施例３に係る発光装置１０を第２面１４側から見た斜視図である。本実施例に係る発光装置１０は、以下の点を除いて、実施例１又は２に係る発光装置１０と同様の構成である。なお、図９は実施例１と同様の場合を示している。
【００３４】
まず、発光装置１０は制御部１４０を備えている。制御部１４０は、発光部１６を制御する回路を有している。
【００３５】
図１０は、本実施例に係る発光装置１０の回路図であり、図１１は、本実施例に係る凹部１００の底部の構造を示す斜視図である。本実施例において、凹部１００の底部には、陽極端子１０２及び陰極端子１０４の他に、ダミー陽極端子１０６及びダミー陰極端子１０８が設けられている。
【００３６】
図１１に示すように、ダミー陽極端子１０６（陽極端子）及びダミー陰極端子１０８（陰極端子）は、いずれも、凹部１００の底部では陽極端子１０２（第２の陽極端子）及び陰極端子１０４（第２の陰極端子）のいずれにも繋がっていない。ただし、図１０に示すように、発光装置１０の内部において、ダミー陽極端子１０６は発光部１６の陽極３０２に接続しており、ダミー陰極端子１０８は発光部１６の陰極３０６に接続している。一方、陽極端子１０２は、制御部１４０を介して陽極３０２に接続しており、陰極端子１０４は、制御部１４０を介して陰極３０６に接続している。
【００３７】
そして、図１０及び図１１に示すように、短絡部１２０の導電部材１２２は、ダミー陽極端子１０６とダミー陰極端子１０８とを短絡している。詳細には、図１１に示すように、凹部１００の底部において、ダミー陽極端子１０６とダミー陰極端子１０８は互いに隣り合って配置されている。一方、陽極端子１０２及び陰極端子１０４は、ダミー陽極端子１０６及びダミー陰極端子１０８を挟むように配置されている。そして、短絡部１２０の絶縁部材１２４は、陽極端子１０２、ダミー陽極端子１０６、ダミー陰極端子１０８、及び陰極端子１０４を覆っているが、導電部材１２２は、ダミー陽極端子１０６及びダミー陰極端子１０８のみを覆っている。
【００３８】
ダミー陽極端子１０６の面積は、陽極端子１０２の面積よりも小さいのが好ましく、ダミー陰極端子１０８の面積は陰極端子１０４の面積よりも小さいのが好ましい。このようにすると、短絡部１２０が取り外された後に、ダミー陽極端子１０６及びダミー陰極端子１０８が誤って外部の給電端子に接続することを抑制できる。これにより、発光層３０４に、誤って直接電力が供給されることを抑制できる。
【００３９】
なお、ダミー陽極端子１０６及びダミー陰極端子１０８のレイアウトは、図１１に示す例に限定されない。例えば、図１２に示すように、ダミー陽極端子１０６及びダミー陰極端子１０８は、制御部１４０に設けられていても良い。この場合、短絡部１２０も制御部１４０に取り付けられる。
【００４０】
また、短絡部１２０の導電部材１２２は、さらに、陽極端子１０２及び陰極端子１０４の少なくとも一方に接続していても良い。
【００４１】
本実施例によっても、実施例１と同様の効果が得られる。また、陽極端子１０２及び陰極端子１０４とは別に、短絡用にダミー陽極端子１０６及びダミー陰極端子１０８を設けている。このため、制御部１４０を取り付けた状態においても、短絡部１２０を用いて陽極３０２と陰極３０６とを短絡することができる。
【００４２】
（実施例４）
図１３は、実施例４に係る発光装置１０の要部の構成を示す断面図である。本実施例に係る発光装置１０は、以下の点を除いて、実施例３に係る発光装置１０と同様の構成である。
【００４３】
まず、ダミー陽極端子１０６及びダミー陰極端子１０８は、発光装置１０の第２面１４のうち凹部１００の周囲に位置する部分に設けられている。そして、短絡部１２０は、凹部１００を塞いでいる。そして短絡部１２０の導電部材１２２は、ダミー陽極端子１０６及びダミー陰極端子１０８に接続している。
【００４４】
また、凹部１００は、第１凹部１００ａ及び第２凹部１００ｂに分けられている。陽極端子１０２は第１凹部１００ａの内部に配置されており、陰極端子１０４は第２凹部１００ｂの内部に配置されている。
【００４５】
そして、導電部材１２２は、図１３及び図１４に示すように、給電用のコネクタ２００のピン２１０を凹部１００に差し込む際に、ピン２１０によって断線する。
【００４６】
詳細には、コネクタ２００は、２つのピン２１０を有している。一方のピン２１０は第１凹部１００ａに嵌って陽極端子１０２に接続し、他方のピン２１０は第２凹部１００ｂに嵌って陰極端子１０４に接続する。なお、ピン２１０の上部は絶縁部２１４になっており、下部は導電部２１２になっている。このため、ピン２１０が導電部材１２２に接触しても、隣り合う２つのピン２１０が導電部材１２２を介して短絡することはない。
【００４７】
本実施例によっても、実施例３と同様の効果が得られる。また、ピン２１０を凹部１００に差し込むときに短絡部１２０は分断されるため、第２面１４から短絡部１２０を取り外す必要はない。
【００４８】
以上、図面を参照して実施形態及び実施例について述べたが、これらは本発明の例示であり、上記以外の様々な構成を採用することもできる。
【符号の説明】
【００４９】
１０ 発光装置
１６ 発光部
１００ 凹部
１０２ 陽極端子
１０４ 陰極端子
１０６ ダミー陽極端子
１０８ ダミー陰極端子
１２０ 短絡部
１２１ 保護シート
１２２ 導電部材
１２４ 絶縁部材
１２６ 粘着層
３０２ 陽極
３０４ 発光層
３０６ 陰極
【図１】
2015002023.tif 000003
【図２】
2015002023.tif 000004
【図３】
2015002023.tif 000005
【図４】
2015002023.tif 000006
【図５】
2015002023.tif 000007
【図６】
2015002023.tif 000008
【図７】
2015002023.tif 000009
【図８】
2015002023.tif 000010
【図９】
2015002023.tif 000011
【図１０】
2015002023.tif 000012
【図１１】
2015002023.tif 000013
【図１２】
2015002023.tif 000014
【図１３】
2015002023.tif 000015
【図１４】
2015002023.tif 000016